(57)【要約】【課題】  浴湯の高い保温性を実現する。【解決手段】  浴槽１の側壁５の外側に浴槽底部の脚２に至るまで第１の断熱材６が設けられるとともに、浴槽の脚とこの脚を受ける浴槽側床パン３の隆起部４とで囲まれる空間に第２の断熱材７が配設され、かつ第１の断熱材と浴槽側床パンとに密着して第３の断熱材１１が設けられる。【選択図】図１
2006061372.tif 000002
【特許請求の範囲】
【請求項１】
浴槽の底部に設けられた脚が、浴槽側床パンの上面部に設けられた隆起部で支持される浴槽構造に用いられる断熱浴槽構造であって、浴槽の側壁外側に浴槽底部の脚に至るまで第１の断熱材が設けられるとともに、浴槽の脚とこの脚を受ける浴槽側床パンの隆起部とで囲まれる空間に第２の断熱材が配設され、かつ第１の断熱材と浴槽側床パンとに密着して第３の断熱材が設けられていることを特徴とする断熱浴槽構造。
【請求項２】
第２の断熱材は、浴槽底面の外側に貼り付けられた真空断熱材と、この真空断熱材を下側から覆う断熱性を有する発泡シートと、浴槽側床パンの隆起部間に配設された断熱部材とから構成されている請求項１記載の断熱浴槽構造。
【請求項３】
断熱部材は、第３の断熱材と同質であり、第３の断熱材と一体化されている請求項２記載の断熱浴槽構造。
【請求項４】
浴槽側床パンの裏面に第４の断熱材が配設されている請求項１、２または３いずれか１項に記載の断熱浴槽構造。
【発明の詳細な説明】
【技術分野】
【０００１】
本願発明は、湯温低下の抑制を図った断熱浴槽構造に関するものである。
【背景技術】
【０００２】
浴槽内の湯の温度を一定に保つ工夫が様々になされている。その一例として、浴槽の側壁および底面の外側に断熱材を設けることが行われている（たとえば、特許文献１参照）。
【特許文献１】実公昭５６−５４８５２号公報
【発明の開示】
【発明が解決しようとする課題】
【０００３】
しかしながら、浴槽の外側に配設される断熱材は、浴槽の部位によっては厚みが薄くなるところもあり、高い保温性は期待できなかった。
【０００４】
本願発明は、このような事情に鑑みてなされたものであり、浴湯の高い保温性を実現することのできる断熱浴槽構造を提供することを解決すべき課題としている。
【課題を解決するための手段】
【０００５】
本願発明は、上記の課題を解決するために、第１には、浴槽の底部に設けられた脚が、浴槽側床パンの上面部に設けられた隆起部で支持される浴槽構造に用いられる断熱浴槽構造であって、浴槽の側壁外側に浴槽底部の脚に至るまで第１の断熱材が設けられるとともに、浴槽の脚とこの脚を受ける浴槽側床パンの隆起部とで囲まれる空間に第２の断熱材が配設され、かつ第１の断熱材と浴槽側床パンとに密着して第３の断熱材が設けられていることを特徴としている。
【０００６】
本願発明は、第２には、第２の断熱材は、浴槽底面の外側に貼り付けられた真空断熱材と、この真空断熱材を下側から覆う断熱性を有する発泡シートと、浴槽側床パンの隆起部間に配設された断熱部材とから構成されていることを特徴としている。
【０００７】
本願発明は、第３には、断熱部材は、第３の断熱材と同質であり、第３の断熱材と一体化されていることを特徴としている。
【０００８】
本願発明は、第４には、浴槽側床パンの裏面に第４の断熱材が配設されていることを特徴としている。
【発明の効果】
【０００９】
本願発明の第１の断熱浴槽構造によれば、従来に比べ、浴湯の高い保温性を実現することができる。
【００１０】
本願発明の第２の断熱浴槽構造によれば、浴湯の高い保温性が確実に得られる。
【００１１】
本願発明の第３の断熱浴槽構造によれば、断熱部材の配設が容易となり、また、断熱浴槽構造が簡便に実現される。
【００１２】
本願発明の第４の断熱浴槽構造によれば、浴湯の保温性はより高まる。
【発明を実施するための最良の形態】
【００１３】
以下、図面に沿って本願発明の断熱浴槽構造についてさらに詳しく説明する。
【００１４】
図１は、本願発明の断熱浴槽構造の一実施形態を示した断面図である。
【００１５】
この断熱浴槽構造は、浴槽１の底部に設けられた脚２が、浴槽側床パン３の上面部に設けられた隆起部４で支持される浴槽構造を前提としている。なお、図示してはいないが、浴槽側床パン３は、洗い場側床パンに連結されるようになっている。
【００１６】
そして、断熱浴槽構造では、浴槽１の側壁５の外側に、浴槽１の底部に設けられた脚２に至るまで第１の断熱材６が配設されている。第１の断熱材６の材質は、断熱性を有するものであれば特に制限されない。たとえば発泡スチロールを採用することができ、この場合、浴槽１の側壁５の外側に貼着することができる。
【００１７】
また、断熱浴槽構造では、浴槽１の脚２とこの脚２を受ける浴槽側床パン３の隆起部４とで囲まれる空間に、第２の断熱材７が配設されている。この第２の断熱材７は次のような構成からなっている。
【００１８】
すなわち、浴槽１の底面の外側に真空断熱材８が貼り付けられて配設され、この真空断熱材８を下側から覆うように断熱性を有する発泡シート９が設けられている。また、浴槽側床パン３の隆起部４の間に断熱部材１０が配設されている。
【００１９】
真空断熱材８は、シリカ粉末等の粉末材料や繊維材料等の多孔質構造を有する芯材をラミネートフィルムで外被し、内部を減圧して封止したものである。この真空断熱材８は高い断熱性を有する。一方、発泡シート９は断熱性を有するものであれば特に材質は制限されない。断熱部材１０についても同様である。
【００２０】
なお、発泡シート９と断熱部材１０との間の間隔ｄは、断熱性という観点からは小さいほど好ましく、３mm以内が例示される。
【００２１】
さらに、断熱浴槽構造では、浴槽１の側壁５の外側に設けられた第１の断熱材６と浴槽側床パン３とに密着して第３の断熱材１１が設けられている。第３の断熱材１１の材質についても特に制限はなく、断熱性を有する適宜な材料を選択することができる。また、第３の断熱材１１は、図２に示したように、浴槽側床パン３の隆起部４を除く領域にわたって配設可能であり、この場合、前述の断熱部材１０と第３の断熱材１１は、同質で、一体化されたものとすることができる。断熱部材１０の配設が容易となる。また、この場合、図３に示したように、浴槽１に第１の断熱材６、真空断熱材８および発泡シート９を取り付けておくことにより、浴槽１を浴槽側床パン３の上に載置するだけで断熱浴槽構造が実現可能となる。
【００２２】
なお、第３の断熱材１１については、図１に示したように、その端縁を上方に突出させることができる。この場合、浴槽１の側壁５の外側に配設された第１の断熱材６を外側からくるむことができるため、第１の断熱材６に十分に密着する。もちろん、第３の断熱材１１の端縁はフラットな形状であってもよく、この場合にも、第３の断熱材１１は第１の断熱材６と密着する。
【００２３】
このように、図１に示した断熱浴槽構造では、浴槽側床パン３から浴槽１にまで断熱材が十分に配設されているため、従来に比べ、浴湯の高い保温性が実現される。
【００２４】
実際に、温度４２℃の湯を浴槽１に深さ400mmまで入れ、浴槽１の周囲温度を５℃に設定したときの湯温の低下を調べた。なお、浴槽１は、断熱性を有する浴槽蓋で蓋をし、浴槽１の底面から250mmの深さの湯温を測定した。６時間後の湯温の低下は2.0度であった。比較のために、現行の浴槽について同様の試験を行ったところ、湯温の低下は5.2度であった。図１に示した断熱浴槽構造の高い保温性が実証された。このことから、追い炊きの間隔を長くし、また、追い炊きの回数を減らすことが可能であり、コスト低減に有効となると考えられる。
【００２５】
なお、断熱浴槽構造では、図１に示したように、より高い保温性を実現するために、浴槽側床パン３の裏面に第４の断熱材１２を設けることができる。第４の断熱材１２により床からの冷気の影響を抑制することができる。この第４の断熱材１２についても材質は特に制限されない。
【００２６】
もちろん、本願発明は、以上の実施形態によって限定されるものではない。浴槽の構成および構造、各断熱材の材質、真空断熱材の構成および構造等の細部については様々な態様が可能である。
【図面の簡単な説明】
【００２７】
【図１】本願発明の断熱浴槽構造の一実施形態を示した断面図である。
【図２】浴槽側床パンへの第３の断熱材の配設の一実施形態を示した平面図である。
【図３】本願発明の断熱浴槽構造を実現する際の手順の一例を示した断面図である。
【符号の説明】
【００２８】
１    浴槽
２    脚
３    浴槽側床パン
４    隆起部
５    側壁
６    第１の断熱材
７    第２の断熱材
８    真空断熱材
９    発泡シート
１０    断熱部材
１１    第３の断熱材
１２    第４の断熱材
【図１】
2006061372.tif 000003
【図２】
2006061372.tif 000004
【図３】
2006061372.tif 000005